(57)【要約】【課題】動画撮影中に撮影された静止画と、当該動画とはそれぞれ別のファイルとして保存され、別々に再生することしかできなかった。【解決手段】再生装置５は、動画および静止画を再生する再生部２１と、画像を表示する表示部１９と、再生部２１を制御して再生される画像を表示部１９に表示させる表示制御部１１１とを備える。表示制御部１１１は、動画撮影中に同時に撮影された静止画を表示部１９に表示させている状態で、当該静止画に対応する動画の再生が指示された場合には、当該動画の中で当該静止画が撮影された区間を含む部分動画を再生させて表示部１９に表示させる。【選択図】図１
2012099996.tif 000002
【特許請求の範囲】
【請求項１】
動画および静止画を再生する再生部と、
画像を表示する表示部と、
前記再生部を制御して再生される画像を前記表示部に表示させる表示制御部と、
を備え、
前記表示制御部は、動画撮影中に同時に撮影された静止画を前記表示部に表示させている状態で、当該静止画に対応する動画の再生が指示された場合には、当該動画の中で当該静止画が撮影された区間を含む部分動画を再生させて前記表示部に表示させる、
ことを特徴とする再生装置。
【請求項２】
前記表示制御部は、前記部分動画を繰り返し再生するように前記再生部を制御する、
ことを特徴とする請求項１に記載の再生装置。
【請求項３】
前記表示制御部は、動画撮影中に撮影された静止画を前記表示部に表示させる場合には、当該静止画に対応する動画が存在することを示すマークを前記表示部に表示させる、
ことを特徴とする請求項１または請求項２に記載の再生装置。
【請求項４】
前記表示制御部は、撮影中に静止画撮影が行われた動画が縮小画像の１つとして含まれるインデックス画面を表示させ、前記部分動画を当該インデックス画面に重ねるように表示させる、
ことを特徴とする請求項１から請求項３のいずれか一項に記載の再生装置。
【請求項５】
動画および静止画を再生する再生部と、
画像を表示する表示部と、
前記再生部を制御して前記表示部にインデックス画像を表示させる表示制御部と、
を備え、
前記表示制御部は、インデックス画面で表示されている縮小画像の中で動画が指定された場合であって、当該動画の撮影中に撮影された静止画が複数存在する場合には、当該複数の静止画を撮影の順番に前記表示部に表示させる、
ことを特徴とする再生装置。
【請求項６】
前記表示制御部は、前記複数の静止画を撮影の順番に表示させる際に、静止画と静止画の間に撮影された動画を、当該静止画と静止画の間で早送り再生させて前記表示部に表示させる、
ことを特徴とする請求項５に記載の再生装置。
【請求項７】
動画および静止画を再生する再生部と、
画像を表示する表示部と、
前記再生部を制御して再生される画像を前記表示部に表示させる表示制御部と、
を備え、
前記表示制御部は、静止画と同時に撮影された動画を表示する際に、当該動画の撮影中に撮影された静止画を縮小して撮影順に並べた静止画列を当該動画とともに前記表示部に表示させ、当該動画の表示時に、撮影時間的に対応する静止画が前記静止画列に表示されるように、当該静止画列を当該表示される動画の進行に合わせてスクロール移動させる、
ことを特徴とする再生装置。
【請求項８】
動画および静止画を再生する再生部と、
画像を表示する表示部と、
動画撮影中に撮影された複数の静止画を縮小画像として画面全体に並べ、当該並べられた静止画に、当該静止画に対応する動画を重畳させて、動画とその動画の撮影中に撮影された静止画とを一括して前記表示部に表示させる表示制御部と、
を備えることを特徴とする再生装置。
【請求項９】
動画撮影中に静止画を撮影することができるカメラで撮影された画像を再生表示する再生方法であって、
動画撮影中に同時に撮影された静止画を表示部に表示させるステップと、
前記動画撮影中に同時に撮影された静止画を前記表示部に表示させている状態で、当該静止画に対応する動画の再生が指示された場合に、当該動画の中で当該静止画が撮影された区間を含む部分動画を再生させて前記表示部に表示させるステップと、
を備えることを特徴とする再生方法。
【請求項１０】
動画撮影中に静止画を撮影することができるカメラで撮影された画像を再生表示するための再生プログラムであって、
動画撮影中に同時に撮影された静止画を表示部に表示させるステップと、
前記動画撮影中に同時に撮影された静止画を前記表示部に表示させている状態で、当該静止画に対応する動画の再生が指示された場合に、当該動画の中で当該静止画が撮影された区間を含む部分動画を再生させて前記表示部に表示させるステップと、
をコンピュータに実行させるための再生プログラム。
【発明の詳細な説明】
【技術分野】
【０００１】
本発明は、動画および静止画の両方の撮影が可能なカメラで撮影された画像を再生表示する技術に関する。
【背景技術】
【０００２】
動画撮影および静止画撮影の両方の撮影が可能なカメラの開発が行われている。特に、動画撮影中に、動画撮影を中断することなく、静止画撮影を行うことができるカメラの開発が行われている。
【０００３】
特許文献１には、動画撮影中に静止画撮影が実行されると、撮影された静止画のレックビュー画像をその都度、動画撮影中のライブビュー画面に順番に表示して、静止画の内容をリアルタイムで確認できるようにしたカメラが開示されている。
【０００４】
また、特許文献２には、動画撮影中に撮影された静止画のサムネイル画像を、動画のタイムライン上に表示して、静止画の撮影タイミングがわかるようにした再生装置が開示されている。
【先行技術文献】
【特許文献】
【０００５】
【特許文献１】特開２００９−２２５２８０号公報
【特許文献２】特開２０１０−１４７８６１号公報
【発明の概要】
【発明が解決しようとする課題】
【０００６】
しかしながら、従来の技術では、動画および静止画はそれぞれ別のファイルとして保存され、別々に再生することしかできなかった。
【０００７】
本発明は、動画撮影中に撮影された静止画と、当該動画とを関連させて表示させることができる技術を提供することを目的とする。
【課題を解決するための手段】
【０００８】
本発明のある態様に係る再生装置は、動画および静止画を再生する再生部と、画像を表示する表示部と、前記再生部を制御して再生される画像を前記表示部に表示させる表示制御部と、を備え、前記表示制御部は、動画撮影中に同時に撮影された静止画を前記表示部に表示させている状態で、当該静止画に対応する動画の再生が指示された場合には、当該動画の中で当該静止画が撮影された区間を含む部分動画を再生させて前記表示部に表示させる。
【０００９】
本発明の別の態様に係る再生装置は、動画および静止画を再生する再生部と、画像を表示する表示部と、前記再生部を制御して前記表示部にインデックス画像を表示させる表示制御部と、を備え、前記表示制御部は、インデックス画面で表示されている縮小画像の中で動画が指定された場合であって、当該動画の撮影中に撮影された静止画が複数存在する場合には、当該複数の静止画を撮影の順番に前記表示部に表示させる。
【００１０】
本発明のさらに別の態様に係る再生装置は、動画および静止画を再生する再生部と、画像を表示する表示部と、前記再生部を制御して再生される画像を前記表示部に表示させる表示制御部と、を備え、前記表示制御部は、静止画と同時に撮影された動画を表示する際に、当該動画の撮影中に撮影された静止画を縮小して撮影順に並べた静止画列を当該動画とともに前記表示部に表示させ、当該動画の表示時に、撮影時間的に対応する静止画が前記静止画列に表示されるように、当該静止画列を当該表示される動画の進行に合わせてスクロール移動させる。
【００１１】
本発明のさらに別の態様に係る再生装置は、動画および静止画を再生する再生部と、画像を表示する表示部と、動画撮影中に撮影された複数の静止画を縮小画像として画面全体に並べ、当該並べられた静止画に、当該静止画に対応する動画を重畳させて、動画とその動画の撮影中に撮影された静止画とを一括して前記表示部に表示させる表示制御部と、を備える。
【００１２】
本発明のさらに別の態様に係る再生方法は、動画撮影中に静止画を撮影することができるカメラで撮影された画像を再生表示する再生方法であって、動画撮影中に同時に撮影された静止画を表示部に表示させるステップと、前記動画撮影中に同時に撮影された静止画を表示部に表示させている状態で、当該静止画に対応する動画の再生が指示された場合に、当該動画の中で当該静止画が撮影された区間を含む部分動画を再生させて前記表示部に表示させるステップと、を備える。
【００１３】
本発明のさらに別の態様に係る再生プログラムは、動画撮影中に静止画を撮影することができるカメラで撮影された画像を再生表示するための再生プログラムであって、動画撮影中に同時に撮影された静止画を表示部に表示させるステップと、前記動画撮影中に同時に撮影された静止画を表示部に表示させている状態で、当該静止画に対応する動画の再生が指示された場合に、当該動画の中で当該静止画が撮影された区間を含む部分動画を再生させて前記表示部に表示させるステップと、をコンピュータに実行させる。
【発明の効果】
【００１４】
本発明によれば、動画撮影中に撮影された静止画と、当該動画とを関連させた効果的な表示を行うことができる。
【図面の簡単な説明】
【００１５】
【図１】一実施の形態における再生装置を備えたカメラの構成を示すブロック図である。
【図２】コンビネーション撮影の撮影タイミングの一例を示す図である。
【図３】コンビネーション撮影で得られた画像の表示方法を説明するための図である。
【図４】部分動画表示の表示方法を説明するための図である。
【図５】表示画像の切り換えを説明するための図である。
【図６】表示画像の切り換えを説明するための別の図である。
【図７】動画主体の表示方法を説明するための図である。
【図８】スライドショー表示について説明するための図である。
【図９】インデックス画面において、Ａモード設定時のスライドショー表示の表示方法を説明するための図である。
【図１０】インデックス画面において、部分動画表示を行う場合の表示方法について説明するための図である。
【図１１】インデックス画面において、Ｂモード設定時のスライドショー表示の表示方法を説明するための図である。
【図１２】一実施の形態における再生装置によって行われる処理内容を示すフローチャートである。
【図１３】１画像表示の詳細な内容を示すフローチャートである。
【図１４】インデックス表示処理の詳細な内容を示すフローチャートである。
【発明を実施するための形態】
【００１６】
図１は、一実施の形態における再生装置５を備えたカメラ１の構成を示すブロック図である。カメラ１は、動画撮影および静止画撮影の両方の撮影が可能なデジタルカメラである。
【００１７】
制御部（ＣＰＵ）１１は、プログラム／データ記憶部１２に記憶された制御プログラムに従って動作し、カメラの全体制御を行う。制御部１１内には、表示制御部１１１、および、操作制御部１１２が設けられている。表示制御部１１１、および、操作制御部１１２は、制御プログラムにより実行される処理の一部であるため、制御部１１に含まれる機能部として説明する。
【００１８】
表示制御部１１１は、後述する表示部１９に静止画や動画の再生画像を表示する際の表示制御を行う。すなわち、表示制御部１１１は、撮影時にはライブビュー画像を表示し、再生時には、動画・静止画の１コマ画像やインデックス画像を表示するよう制御する。
【００１９】
表示制御部１１１は、インデックス画面として、動画を構成する画像の中の先頭の画像を動画像に対応するインデックス画像とし、静止画像のインデックス画像と所定の順番で混在して並べて表示する。
【００２０】
操作制御部１１２は、後述する操作部１３に接続され、十字釦やＯＫ釦等の各種操作部材への操作指示を検出して、指示に応じた制御を行う。
【００２１】
制御部１１には、プログラム／データ記憶部１２、操作部１３、および、バス２５が接続されている。プログラム／データ記憶部１２には、前述したように。制御部１１において実行するプログラムが記憶されており、各種データも記憶されている。
【００２２】
操作部１３は、ユーザがカメラに指示を与えるための各種操作部材およびタッチパネルを有する。各種操作部材には、例えば、電源釦、レリーズ釦、ＯＫ釦、十字釦、再生釦、テレワイド釦等が含まれる。操作部１３に含まれる各種操作部材の操作状態の検出結果は、制御部１１の操作制御部１１２に出力される。タッチパネルは、表示部１９の前面に配置され、または表示部１９と一体に構成されている。ユーザが表示部１９の画面をタッチすると、タッチ位置およびタッチ方向が検出され、検出結果が操作制御部１１２に通知される。
【００２３】
バス２５には、制御部１１の他に、撮像部１５、ＳＤＲＡＭ１６、画像処理部１７、表示ドライバー部１８、圧縮伸長部２０、再生部２１、および、記録部２２が接続されている。
【００２４】
撮像部１５は、被写体像を結像させるための撮影レンズ、被写体像を画像データに変換するための撮像素子、および、これらの処理回路、撮影レンズの光路中に介挿された絞りおよびシャッタ等を含む。撮像部１５によって生成された静止画像や連続画像（動画像）の画像データはバス２５に出力される。
【００２５】
ＳＤＲＡＭ１６は、電気的に書き換え可能な揮発性の一時記憶メモリであり、撮像部１５から出力される静止画像や連続画像（動画像）の画像データの一時記憶に用いられる。
【００２６】
画像処理部１７は、デジタル画像データのデジタル的増幅（デジタルゲイン調整処理）、ホワイトバランス、色補正、ガンマ（γ）補正、コントラスト補正、ライブビュー表示用画像生成、動画画像生成、インデックス画像（縮小画像）生成等の各種画像処理を行う。
【００２７】
圧縮伸長部２０は、ＳＤＲＡＭ１６に一時記憶された静止画像や連続画像の画像データをＪＰＥＧやＴＩＦＦ等の圧縮方式により圧縮し、また表示等のために伸長するための回路である。なお、画像圧縮は、ＪＰＥＧ、ＴＩＦＦ、ＭＰＥＧに限らず、他の圧縮方式も適用できる。
【００２８】
表示ドライバー部１８は、表示部１９と接続されており、表示部１９に画像を表示させる。表示部１９は、カメラ本体の背面等に配置された液晶モニタや有機ＥＬ等のディスプレイである。
【００２９】
再生部２１は、表示制御部１１１からの指示に基づいて、画像の再生を行う。後述するように、画像の再生には、静止画の再生、動画の再生、静止画および動画の同時再生が含まれる。再生部２１は、画像記憶部２３に記録された撮影画像の画像データを読み出す。読み出された画像データは、圧縮伸長部２０において伸長され、伸長された画像データに基づいて、表示部１９に画像が再生表示される。
【００３０】
記録部２２は、圧縮伸長部２０で圧縮された画像データを画像記憶部２３に記録させる。画像記憶部２３は、再生部２１に接続されており、カメラ本体に内蔵、または装填可能な画像データの記録媒体である。
【００３１】
カメラ１は、動画撮影中に、動画撮影を中断させずに、静止画を撮影することができる。動画撮影中に静止画が撮影された場合には、動画および静止画のいずれの画像データにも、対応する動画または静止画の情報が記録される。対応する動画または静止画の情報とは、相互のファイル名、撮影日時、その動画中における静止画の順番等である。
【００３２】
本明細書では、動画撮影と静止画撮影とを同時に行う撮影のことを、コンビネーション撮影と呼ぶ。
【００３３】
図２は、コンビネーション撮影された画像について、その撮影タイミングの一例を示す図である。図２において、番号１２〜２９は、撮影順序を表す画像番号であり、画像番号１３、１９は動画を表し、それ以外の番号は静止画を表している。以下の説明では、画像番号Ｘの動画は、動画Ｘと呼び、画像番号Ｙの静止画は、静止画Ｙと呼ぶ。この一連の画像を再生例として以下で説明する。
【００３４】
図３は、コンビネーション撮影で得られた画像の表示方法を説明するための図である。図３（Ａ）は、静止画１２を表示部１９に表示した状態を示す図である。表示部１９には、静止画１２とともに、戻し釦３１および送り釦３２が表示されている。戻し釦３１は、静止画１２の一つ前の画像を表示させるための釦であり、送り釦３２は、静止画１２の次の画像を表示させるための釦である。ユーザが送り釦３２をタッチすると、動画１３の再生画面に切り替わる（図３（Ｂ））。
【００３５】
図２に示すように、動画１３の撮影中に、静止画１４〜１７の撮影が行われている。本実施形態では、図３（Ｂ）に示すように、動画１３を再生表示する際に、同時に撮影された静止画１４〜１７のインデックス画像も合わせて表示する。図３（Ｂ）に示す例では、静止画１４〜１７のインデックス画像の上に重ねて、動画１３の再生画面を表示している。
【００３６】
図３（Ｂ）に示す表示例では、また、動画１３の画面上に、スライドショー釦３３、動画再生中を示す動画アイコン３４、動画の再生時間を表すタイムライン３５、および、動画１３を画面上から消去するための消去釦３６も表示している。スライドショー釦３３が押された場合の表示方法については後述する。タイムライン３５は、動画再生時の経過時間を表すタイムバーであり、図３（Ｃ）に示すように、経過時間が分かるような表示を行う。
【００３７】
ここで、ユーザが静止画１４〜１７のインデックス画像の中から、図３（Ｃ）に示すように、静止画１５のインデックス画像をタッチすると、図３（Ｄ）に示すように、静止画１５が表示部１９に全体表示される。上述したように、静止画１５は、動画１３の撮影中に表示されたものであるため、関連する動画が存在することを示す動画アイコン３７も同時に表示する。動画アイコン３７は、動画上に表示される動画アイコン３４を色抜きし、さらに、動画アイコン３４の外枠の実線を点線で示したものである。また、図３では、インデックス画像数を２×２の４枚で表示したが、動画に含まれる静止画数が多い場合には、さらに各１枚の画像を縮小して、全体で９枚あるいは１６枚表示するようにしてもよい。
【００３８】
次に、一実施の形態における再生装置５では、動画撮影中に同時に撮影された静止画を表示部１９に表示させている状態で、その静止画に対応する動画の再生が指示された場合には、その静止画が撮影された区間を含む一部の動画区間を再生する部分動画表示を行う。
【００３９】
図４は、部分動画表示の表示方法を説明するための図である。図４（Ａ）は、静止画１５を表示部１９に表示した状態を示す図であり、図３（Ｄ）に対応している。図４（Ａ）に示すように、ユーザが動画アイコン３７をタッチすると、静止画１５と同時に撮影された動画１３を部分的に再生する画面（図４（Ｂ）参照）に切り替わる。動画１３は、図４（Ｂ）に示すように、静止画１５の上に重ねて表示している。
【００４０】
図４（Ｃ）は、動画１３の撮影区間中において、静止画１４〜１７の撮影タイミングを示す図である。静止画１５に関連した動画１３の部分動画表示時には、動画１３の全撮影区間のうち、静止画１５の撮影タイミングの、例えば前後２秒の区間を繰り返し再生表示する。部分動画表示中には、動画アイコン３４を囲むように矢印４１が動くアニメーション表示を行って、動画１３の繰り返し再生中であることを表示する。
【００４１】
動画１３の再生中に、図４（Ｄ）に示すように、送り釦３２がユーザによってタッチされると、静止画１５の次の静止画１６が表示部１９に表示される（図４（Ｅ）参照）。静止画１６は、動画１３の撮影中に表示されたものであるため、関連する動画が存在することを示す動画アイコン３７も同時に表示される。
【００４２】
ユーザが動画アイコン３７をタッチすると、静止画１６と同時に撮影された動画１３の部分動画表示が行われる（図４（Ｆ））。静止画１６に関連した動画１３の部分動画表示時には、動画１３の全撮影区間のおうち、静止画１６の撮影タイミングの前後２秒の区間を繰り返し再生表示する（図４（Ｃ）参照）。
【００４３】
図４（Ｆ）に示す表示画面において、動画１３とともに表示されている消去釦３６をユーザがタッチすると、画面上から動画１３が消去され、静止画１６のみが表示部１９に表示される。
【００４４】
なお、部分動画表示では、静止画の撮影タイミングの前後２秒を繰り返し再生表示するようにしたが、静止画の撮影タイミングの前２秒から再生を開始して、その動画の最後まで再生表示するようにしてもよい。また、静止画の撮影タイミングの前後２秒を１度だけ再生表示するようにしてもよい。さらに、部分再生する時間が静止画の撮影タイミングの前後２秒に限定されることもない。再生時間は、動画の全長に応じて設定するようにしてもよい。例えば、長い時間の動画であれば、部分動画の再生時間も長くするよう設定してもよい。
【００４５】
図５は、表示画像の切り換えを説明するための図である。図５（Ａ）は、静止画１４〜１７のインデックス画像の上に重ねて、動画１３の再生画面を表示した状態を示す図であり、図３（Ｂ）に対応している。図５（Ａ）に示す画面において、ユーザが静止画１７のインデックス画像をタッチすると、図５（Ｂ）に示すように、静止画１７が表示部１９の全体に表示される。
【００４６】
図５（Ｂ）に示す画面において、ユーザが送り釦３２をタッチすると、図５（Ｃ）に示すように、静止画１７の次の静止画１８が表示部１９に表示される。
【００４７】
図６は、表示画像の切り換えを説明するための別の図である。図６（Ａ）は、静止画１４〜１７のインデックス画像の上に重ねて、動画１３の再生画面を表示した状態を示す図であり、図３（Ｂ）に対応している。図６（Ａ）に示す画面において、動画１３とともに表示されている消去釦３６をユーザがタッチすると、図６（Ｂ）に示すように、画面上から動画１３が消去され、静止画１４〜１７のインデックス画像のみが表示部１９に表示される。ただし、図６（Ｂ）に示すように、静止画１４〜１７のインデックス画像上に、関連する動画が存在することを示す動画アイコン３７が表示される。関連する動画とは、静止画１４〜１７の撮影時に撮影されていた動画１３のことである。図６（Ｂ）に示す画面において、ユーザが動画アイコン３７をタッチすると、図６（Ａ）に示す画面、すなわち、静止画１４〜１７のインデックス画像の上に重ねて、動画１３を表示する画面に戻る。
【００４８】
図６（Ｂ）に示す画面において、ユーザが送り釦３２をタッチすると、図６（Ｃ）に示すように、次の静止画１８を表示部１９に表示する。
【００４９】
図７は、動画主体の表示方法を説明するための図である。図７（Ａ）は、静止画２０〜２８のインデックス画像の上に重ねて、動画１９の再生画面を表示した状態を示す図である。静止画１８が表示されている画面（図６（Ｃ）参照）において、ユーザが送り釦３２をタッチすると、図７（Ａ）に示す画面が表示部１９に表示される。
【００５０】
図７（Ａ）に示す画面において、動画１９とともに表示されている動画アイコン３４をユーザがタッチすると、図７（Ｂ）に示すように、動画１９の表示画面が拡大される。動画１９の表示領域を拡大した画面では、動画と同時に撮影された静止画のサムネイル画像列が画面右端に表示される。図７（Ｂ）に示す例では、動画１９と同時に撮影された静止画２０〜２４のサムネイル画像列が表示されている。動画１９と同時に撮影された他の静止画２５〜２８のサムネイル画像は、静止画スクロール釦７３をタッチすることによって表示させることができる。
【００５１】
動画１９とともに表示されている動画戻し釦７１は、動画１９の再生時に、動画の巻き戻しを行うための釦である。また、動画早送り釦７２は、動画１９の再生時に、動画の早送りを行うための釦である。
【００５２】
動画１９の再生時には、現在再生しているタイミングで撮影された静止画を示すマーク７４も表示する（図７（Ｃ））。図７（Ｃ）に示す例では、静止画２０の横にマーク７４が表示されているため、現在の動画１９の再生タイミングが静止画２０の撮影タイミングであることが分かる。同様に、動画１９の再生タイミングが静止画２１の撮影タイミングになれば、マーク７４を静止画２１の横に表示させる。このような表示を行うことにより、静止画２０〜２８がそれぞれ、動画１９のどのタイミングで撮影されたものかをユーザは容易に認識することができる。
【００５３】
画面にまとめて表示できる数（ここでは、５枚）より撮影された静止画数が多いので、動画の右側に表示されるサムネイル画像列は、撮影時間的に対応するサムネイル画像がサムネイル画像列に表示されるように、サムネイル画像列を動画の表示に合わせてスクロール移動させる。
【００５４】
図７（Ｄ）は、図７（Ｃ）に示す画面から、さらに時間が経過した状態を示す図である。上述したように、動画の右側に表示されるサムネイル画像列は、撮影時間的に対応するサムネイル画像が表示されるように、動画の表示に合わせてスクロール移動される。図７（Ｃ）に示す画面では、静止画２０〜２４のサムネイル画像列が表示されていたが、図７（Ｄ）に示す画面では、静止画２３〜２７のサムネイル画像列が表示されている。
【００５５】
図７（Ｄ）に示す画面の状態で、ユーザが静止画２５のサムネイル画像をタッチすると、図７（Ｅ）に示すように、静止画２５が拡大表示される。この場合、再生されていた動画１９は一時停止状態となり、動画アイコン３４は、動画が一時停止状態であることを示すべく、色抜きの状態で表示される。
【００５６】
図８は、スライドショー表示について説明するための図である。図８（Ａ）は、静止画２０〜２８のインデックス画像の上に重ねて、動画１９の再生画面を表示した状態を示す図であり、図７（Ａ）に対応している。図８（Ａ）に示す画面において、ユーザがスライドショー釦３３をタッチすると、スライドショー表示が開始される。スライドショー表示では、撮影された順に、動画および静止画が連続的に表示される。
【００５７】
図８（Ｂ）は、スライドショー表示時に、表示部１９に表示される画像の順序を示す図である。また、図８（Ｃ）は、動画１９の撮影区間のうち、静止画２０〜２８の撮影タイミングを示す図である。
【００５８】
図８（Ｂ）および図８（Ｃ）を参照すると、先ず初めに、静止画２０が撮影されるタイミングまで、動画１９を再生表示し、静止画２０が撮影されたタイミングにおいて、静止画２０を表示する。静止画２０は、所定の時間（例えば、１秒）だけ表示する。続いて、静止画２１が撮影されるタイミングまで、動画１９を再生表示し、静止画２１が撮影されたタイミングにおいて、静止画２１を表示する。このような表示を、動画１９の撮影終了部分まで行う。
【００５９】
なお、動画１９の再生の部分は、等速再生ではなく、早送り再生とすることもできる。
【００６０】
撮影された画像を一覧表示するインデックス画面表示について、図９〜図１１を用いて説明する。インデックス画面表示では、表示方法の異なるＡモードおよびＢモードの２つのモードが設定可能である。まず初めに、図９および図１０を用いて、Ａモード設定時の表示方法について説明する。
【００６１】
図９（Ａ）は、撮影された画像を一覧表示したインデックス画面の表示例を示す図である。このインデックス画面では、Ａモードが設定されていることを示すモード表示釦９０も表示されている。
【００６２】
図９（Ａ）に示す画面において、画像番号１３の画像１３Ａは、動画１３を構成する複数の画像の中の先頭画像（静止画）を示し、画像番号１９の画像１９Ａは、動画１９を構成する複数の画像の中の先頭画像（静止画）を示す。動画を構成する複数の中の先頭画像は、他の静止画と区別できるように、両側にパーフォレーションを付けた表示を行う。また、動画１３、１９の先頭画像１３Ａ、１９Ａの背後にそれぞれ表示されている画像１３Ｘ、１９Ｘは、動画１３、１９と同時に撮影された静止画が存在することを示している。
【００６３】
図９（Ａ）に示す画面において、ユーザが動画１３の先頭画像１３Ａをタッチすると、動画１３の撮影中に撮影された静止画１４〜１７を順番に表示するスライドショー表示が開示される。スライドショー表示する静止画は、インデックス画面上に重ねて表示する。図９（Ｂ）は、スライドショー表示時に、静止画１４を表示した状態を示す図、図９（Ｃ）は、スライドショー表示時に、静止画１５を表示した状態を示す図、図９（Ｄ）は、スライドショー表示時に、静止画１６を表示した状態を示す図である。各静止画は、所定の時間（例えば、１秒）だけ表示する。
【００６４】
動画の撮影中に撮影された静止画のスライドショー表示では、静止画を繰り返し表示する。従って、動画１３の撮影中に撮影された静止画１４〜１７が全て表示されると、再び、静止画１４〜１７の表示が行われる。
【００６５】
図９（Ｄ）に示す画面において、静止画１６とともに表示されている消去釦３６をユーザがタッチすると、画面上から静止画１６が消去され、図９（Ａ）と同じ画面（図９（Ｅ））が表示される。
【００６６】
図１０は、インデックス画面において、部分動画表示を行う場合の表示方法について説明するための図である。図１０（Ａ）は、図９（Ｂ）に対応する画面である。静止画１４とともに表示されている動画アイコン３７をユーザがタッチすると、静止画１４と同時に撮影された動画１３の部分動画表示を行う。
【００６７】
図１０（Ｂ）は、部分動画表示中の画面を示す図である。部分動画表示では、動画１３のうち、静止画１４が撮影されたタイミングの前後２秒を繰り返し再生する表示を行う。部分動画表示中には、動画再生中を示す動画アイコン３４、および、動画の繰り返し再生中であることを示す矢印４１が表示される。
【００６８】
図１１は、インデックス画面において、Ｂモード設定時のスライドショー表示の表示方法を説明するための図である。図１１（Ａ）は、図９（Ａ）に示す画面に対応している。ユーザがモード表示釦９０をタッチすると、ＡモードからＢモードに切り替わる。図１１（Ｂ）は、Ｂモードに切り替わったインデックス画面の表示を示す図である。図１１（Ｂ）に示すように、モード表示釦９０は、現在の設定モードである「Ｂ」と表示される。
【００６９】
図１１（Ｂ）に示す画面で、動画１３を構成する複数の画像の中の先頭画像１３Ａをユーザがタッチすると、図８（Ｂ）を用いて説明したような、動画および静止画を連続的に表示するスライドショー表示が行われる（図１１（Ｃ）参照）。
【００７０】
図１２は、一実施の形態における再生装置５によって行われる処理内容を示すフローチャートである。画像を再生する再生モードが設定されると、制御部１１はステップＳ１１の処理を開始する。
【００７１】
ステップＳ１１では、最初の画像を再生する。最初の画像とは、通常は１番初めか、あるいは逆に最後に撮影された画像である。ただし、再生処理が途中で中断された場合には、中断された画像から再生を開始する。
【００７２】
ステップＳ１２では、表示部１９の表示を、インデックス画面表示とする指示が出されたか否かを判定する。ユーザは、操作部１３に含まれる操作部材を操作することによって、表示部１９の表示を、インデックス画面表示とするか、インデックス画面表示ではない１画像表示とするかを決定することができる。インデックス画面表示とする指示が出されていないと判定すると、ステップＳ１３に進み、指示が出されたと判定すると、ステップＳ１４に進む。
【００７３】
ステップＳ１３では、１画像表示処理を行う。１画像表示処理の詳細な内容は、図１３に示すフローチャートを用いて後述する。
【００７４】
ステップＳ１４では、複数の画像を一覧的に表示するインデックス表示処理を行う。インデックス表示処理の詳細な内容は、図１４に示すフローチャートを用いて後述する。
【００７５】
１画像表示処理の詳細な内容について、図１３に示すフローチャートを用いて説明する。ステップＳ２１では、表示部１９に画像を表示する際の表示画面の種類を判断する。表示部１９に画像を表示する際の表示画面には、図３（Ｂ）に示すような動画と静止画をマルチ表示する画面、図３（Ｄ）に示すような、動画撮影中に撮影された静止画を表示する画面、図７（Ｂ）に示すような静止画のサムネイル画像とともに動画を表示する画面、単独の動画または静止画を表示する画面の４種類がある。表示部１９に画像を表示する際の表示画面がマルチ表示画面である場合には、ステップＳ２２に進む。
【００７６】
ステップＳ２２では、図３（Ｂ）に示すように、動画と、動画の撮影中に撮影された静止画（コンビネーション画像）とを１つの画面上で表示させるためのコンビネーション画像処理を行う。
【００７７】
ステップＳ２３では、動画と、動画の撮影中に撮影された静止画とを表示部１９に表示させるマルチ表示を行う（図３（Ｂ）参照）。
【００７８】
ステップＳ２４では、マルチ表示画面に表示されている動画の再生を行う。
【００７９】
ステップＳ２５では、マルチ表示画面に表示されている動画を拡大表示する指示が出されたか否かを判定する。図７（Ａ）に示すように、マルチ表示画面上の動画とともに表示されている動画アイコン３４をユーザがタッチすると、動画の拡大表示指示が出されたと判定する。動画の拡大表示指示が出されたと判定するとステップＳ６２に進み、動画の拡大表示指示が出されていないと判定すると、ステップＳ２６に進む。
【００８０】
ステップＳ２６では、マルチ表示画面上の静止画が選択されたか否かを判定する。図３（Ｃ）に示すように、マルチ表示画面上の静止画が選択されたと判定するとステップＳ４２に進み、マルチ表示画面上の静止画が選択されていないと判定するとステップＳ２７に進む。
【００８１】
ステップＳ２７では、スライドショー指示が出されたか否かを判定する。ユーザによって、マルチ表示画面上に表示されているスライドショー釦３３がタッチされると、スライドショー指示が出されたと判定してステップＳ２８に進む。一方、スライドショー指示が出されていないと判定するとステップＳ２９に進む。
【００８２】
ステップＳ２８では、スライドショー処理を行う（図８（Ｂ）参照）。
【００８３】
ステップＳ２９では、画像の切り換え指示が出されたか否かを判定する。他の画像表示に切り換える指示が出されたと判定するとステップＳ３０に進み、そのような指示は出されていないと判定すると、ステップＳ２３に戻る。
【００８４】
ステップＳ３０では、画像の切り換え指示がインデックス表示指示であるか否かを判定する。画像の切り換え指示がインデックス表示指示であると判定すると、図１３に示すフローチャートの処理を終了して、図１２に示すフローチャートに戻る。一方、画像の切り換え指示がインデックス表示指示ではないと判定すると、ステップＳ２１に戻る。
【００８５】
ステップＳ２１において、表示部１９に画像を表示する際の表示画面が動画撮影中に撮影された静止画を表示する画面であると判断すると、ステップＳ４１に進む。ステップＳ４１では、図３（Ｄ）に示すように、動画撮影中に撮影された静止画を表示させるための処理を行う。
【００８６】
ステップＳ４２では、動画撮影中に撮影された静止画を表示部１９に表示させる（図３（Ｄ）参照）。
【００８７】
ステップＳ４３では、部分動画の再生指示が出されたか否かを判定する。図４（Ａ）に示すように、静止画とともに表示されている動画アイコン３７がユーザによってタッチされると、部分動画の再生指示が出されたと判定する。部分動画の再生指示が出されたと判定するとステップＳ４４に進み、部分動画の再生指示が出されていないと判定するとステップＳ４７に進む。
【００８８】
ステップＳ４４では、部分動画表示（図４参照）を開始する。
【００８９】
ステップＳ４５では、部分動画を繰り返し再生する循環再生を行う（図４参照）。
【００９０】
ステップＳ４６では、部分動画再生の終了指示が出されたか否かを判定する。部分動画再生の終了指示が出されていないと判定すると、ステップＳ４５に戻る。一方、ユーザによって、動画とともに表示されている消去釦３６がタッチされると（図４（Ｆ）参照）、部分動画再生の終了指示が出されたと判定してステップＳ４７に進む。
【００９１】
ステップＳ４７では、画像の切り換え指示が出されたか否かを判定する。他の画像表示に切り換える指示が出された（図５（Ｂ）、図６（Ｂ）参照）と判定するとステップＳ３０に進み、そのような指示は出されていないと判定すると、ステップＳ４２に戻る。
【００９２】
ステップＳ２１において、表示部１９に画像を表示する際の表示画面が静止画のサムネイル画像とともに動画を表示する画面であると判断すると、ステップＳ６１に進む。ステップＳ６１では、図７（Ｂ）に示すように、静止画のサムネイル画像とともに動画を表示させるための処理を行う。
【００９３】
ステップＳ６２では、静止画のサムネイル画像とともに動画を表示部１９に表示させる（図７（Ｂ）参照）。
【００９４】
ステップＳ６３では、静止画のサムネイル画像とともに表示されている動画の再生を行う。
【００９５】
ステップＳ６４では、サムネイル画像として表示されている静止画がユーザによって選択されたか（図７（Ｄ）参照）否かを判定する。サムネイル画像として表示されている静止画が選択されたと判定するとステップＳ６５に進み、選択されていないと判定するとステップＳ６７に進む。
【００９６】
ステップＳ６５では、選択された静止画を拡大表示する（図７（Ｅ）参照）。
【００９７】
ステップＳ６６では、再生されていた動画を一時停止させる。
【００９８】
ステップＳ６７では、スライドショー指示が出されたか否かを判定する。ユーザによって、マルチ表示画面上に表示されているスライドショー釦３３がタッチされると、スライドショー指示が出されたと判定してステップＳ６８に進む。一方、スライドショー指示が出されていないと判定するとステップＳ６９に進む。
【００９９】
ステップＳ６８では、スライドショー処理を行う（図８（Ｂ）参照）。
【０１００】
ステップＳ６９では、画像の切り換え指示が出されたか否かを判定する。他の画像表示に切り換える指示が出されたと判定するとステップＳ３０に進み、そのような指示は出されていないと判定すると、ステップＳ６２に戻る。
【０１０１】
ステップＳ２１において、表示部１９に画像を表示する際の表示画面が単独の動画または静止画を表示する画面であると判断すると、ステップＳ８１に進む。単独の動画または静止画とは、静止画撮影が行われなかった動画、または、動画撮影を伴わない静止画である。
【０１０２】
ステップＳ８１では、単独の動画または静止画を表示させるための処理を行う。
【０１０３】
ステップＳ８２では、単独の動画または静止画を表示部１９の全体に再生表示させる（図３（Ａ）参照）。
【０１０４】
ステップＳ８３では、画像の切り換え指示が出されたか否かを判定する。他の画像表示に切り換える指示が出されたと判定するとステップＳ３０に進み、そのような指示は出されていないと判定すると、ステップＳ８２に戻る。
【０１０５】
図１４は、インデックス表示処理の詳細な内容を示すフローチャートである。ステップＳ１０１では、インデックス画像表示を行う（図９（Ｅ）参照）。
【０１０６】
ステップＳ１０２では、サムネイル画像が選択されたか否かを判定する。サムネイル画像が選択されていないと判定するとステップＳ１０１に戻り、サムネイル画像が選択されたと判定するとステップＳ１０３に進む。
【０１０７】
ステップＳ１０３では、選択されたサムネイル画像が動画であるか否かを判定する。選択されたサムネイル画像が動画ではないと判定するとステップＳ１０４に進み、動画であると判定するとステップＳ１０６に進む。
【０１０８】
ステップＳ１０４では、選択された静止画を拡大表示して、図１２に示すフローチャートに戻る。
【０１０９】
ステップＳ１０６では、選択された動画がコンビネーション動画であるか否かを判定する。コンビネーション動画とは、撮影中に静止画撮影が行われた動画のことである。選択された動画がコンビネーション動画ではないと判定するとステップＳ１０５に進み、コンビネーション動画であると判定するとステップＳ１０７に進む。
【０１１０】
ステップＳ１０５では、選択された動画を拡大表示して、図１２に示すフローチャートに戻る。
【０１１１】
ステップＳ１０７では、インデックス表示時の設定モードがＡモードであるか否かを判定する。デフォルトは、Ａモードである。設定されているモードがＡモードであると判定するとステップＳ１１１に進み、Ｂモードであると判定するとステップＳ１２１に進む。
【０１１２】
ステップＳ１１１では、選択された動画の撮影中に撮影された静止画のスライドショー表示を行う（図９（Ｂ）、（Ｃ）、（Ｄ）参照）。
【０１１３】
ステップＳ１１２では、部分動画の再生指示が出されたか否かを判定する。図１０（Ａ）に示すように、静止画とともに表示されている動画アイコン３７がユーザによってタッチされると、部分動画の再生指示が出されたと判定する。部分動画の再生指示が出されたと判定するとステップＳ１１６に進み、部分動画の再生指示が出されていないと判定するとステップＳ１１３に進む。
【０１１４】
ステップＳ１１３では、ユーザによって、インデックス画面表示されている静止画の中から、１つの静止画が選択されたか否かを判定する。１つの静止画が選択されたと判定するとステップＳ１１８に進み、静止画が選択されていないと判定するとステップＳ１１４に進む。
【０１１５】
ステップＳ１１８では、ユーザによって選択された静止画を拡大表示して、図１２に示すフローチャートに戻る。
【０１１６】
ステップＳ１１４では、ユーザからスライドショー表示の停止指示が出されたか否かを判定する。スライドショー表示の停止指示が出されていないと判定するとステップＳ１１１に戻る。一方、図９（Ｄ）に示すように、スライドショー表示されている画像とともに表示されている消去釦３６がユーザによってタッチされると、停止指示が出されたと判定して、ステップＳ１１５に進む。
【０１１７】
一方、ステップＳ１１６では、部分動画の循環再生を行う（図１０（Ｂ）参照）。
【０１１８】
ステップＳ１１７では、部分動画の循環再生を停止させる指示が出されたか否かを判定する。停止指示が出されていないと判定するとステップＳ１１６に戻る。一方、動画とともに表示されている消去釦３６がユーザによってタッチされると、停止指示が出されたと判定して、ステップＳ１１５に進む。
【０１１９】
設定されているモードがＢモードであると判定した後に進むステップＳ１２１では、選択された動画、および、選択された動画の撮影中に撮影された静止画のスライドショー表示を行う（図１１（Ｃ）参照）。このスライドショー表示は、図８を用いて説明した方法で行う。
【０１２０】
ステップＳ１２２では、ユーザからスライドショー表示の停止指示が出されたか否かを判定する。スライドショー表示の停止指示が出されていないと判定するとステップＳ１２１に戻る。一方、スライドショー表示されている静止画または動画とともに表示されている消去釦３６がユーザによってタッチされると、停止指示が出されたと判定して、ステップＳ１１５に進む。
【０１２１】
ステップＳ１１５では、１画像表示に切り換える指示が出されたか否かを判定する。１画像表示に切り換える指示が出されていないと判定するとステップＳ１０３に戻り、指示が出されたと判定すると、図１４に示すフローチャートの処理を終了して、図１２に示すフローチャートに戻る。
【０１２２】
以上、一実施の形態における再生装置によれば、動画撮影中に同時に撮影された静止画を表示部１９に表示させている状態で、当該静止画に対応する動画の再生が指示された場合には、当該動画の中で当該静止画が撮影された区間を含む部分動画を再生させて表示部１９に表示させる。これにより、ユーザは、現在表示されている静止画を撮影した場面を含む動画の鑑賞を楽しむことができる。特に、動画の全区間ではなく、静止画を撮影した場面を含む部分動画を再生するので、動画の中で静止画を撮影した場面を容易に確認することができる。
【０１２３】
また、上述した部分動画の再生では、部分動画を繰り返し再生するように再生部２１を制御するので、ユーザは、部分動画の再生が１度終了しても、部分動画を繰り返し楽しむことができる。これにより、部分動画の見落としがあった場合でも、再度の再生操作を行わなくても、部分動画を鑑賞することができる。
【０１２４】
表示制御部１１１は、動画撮影中に撮影された静止画を表示部１９に表示させる場合には、当該静止画に対応する動画が存在することを示すマークを表示部１９に表示させる。これにより、ユーザは、静止画に対応する動画が存在するか否かを容易に確認することができる。
【０１２５】
また、表示制御部１１１は、撮影中に静止画撮影が行われた動画が縮小画像の１つとして含まれるインデックス画面を表示させ、部分動画をインデックス画面に重ねるように表示させる。これにより、ユーザは、インデックス画面が表示されている状態でも、静止画が撮影された区間を含む部分動画の内容を簡単に確認することができる。
【０１２６】
一実施の形態における再生装置によれば、インデックス画面で表示されている縮小画像の中で動画が指定された場合であって、当該動画の撮影中に撮影された静止画が複数存在する場合には、当該複数の静止画を撮影の順番に表示部１９に表示させる。これにより、ユーザは、次の静止画を鑑賞するためのコマ送り操作を行わなくても、動画の撮影中に撮影された静止画を容易に確認することができる。
【０１２７】
また、表示制御部１１１は、複数の静止画を撮影の順番に表示させる際に、静止画と静止画の間に撮影された動画を、当該静止画と静止画の間で早送り再生させて表示部１９に表示させる。これにより、ユーザは、静止画だけでなく、静止画と同時に撮影された動画の内容も合わせて確認することができる。
【０１２８】
一実施の形態における再生装置によれば、静止画と同時に撮影された動画を表示する際に、当該動画の撮影中に撮影された静止画を縮小して撮影順に並べた静止画列を当該動画とともに表示部１９に表示させ、当該動画の表示時に、撮影時間的に対応する静止画が静止画列に表示されるように、当該静止画列を当該動画の進行に合わせてスクロール移動させる。これにより、動画の撮影中に撮影された静止画がたくさん存在する場合でも、動画および静止画を同時に、適切な状態で表示させることができる。また、ユーザは、動画の表示に合わせて、静止画列の表示を変えるためのスクロール操作を行う必要がない。
【０１２９】
一実施の形態における再生装置によれば、動画撮影中に撮影された複数の静止画を縮小画像として画面全体に並べ、当該並べられた静止画に、当該静止画に対応する動画を重畳させて、動画とその動画の撮影中に撮影された静止画とを一括して表示部１９に表示させる。これにより、ユーザは、動画と、その動画の撮影中に撮影された静止画とを一括して確認することができる。
【０１３０】
上記実施形態では、入力方式としてタッチパネルを用いて説明したが、当然これに限られるわけではない。操作部１３に含まれる釦の操作によって、同様に画面上でカーソルを移動させたり指示を入力するようにしてもよい。
【０１３１】
また、再生する動画に対応する音声が存在する場合には、動画再生と同時に音声も再生するようにしてもよい。部分動画の再生も同様である。
【０１３２】
なお、上述した一実施の形態の説明では、再生装置が行う処理としてハードウェアによる処理を前提としていたが、このような構成に限定される必要はない。例えば、別途ソフトウェアにて処理する構成も可能である。この場合、再生装置は、ＣＰＵ、ＲＡＭ等の主記憶装置、上記処理の全て或いは一部を実現させるためのプログラムが記憶されたコンピュータ読み取り可能な記憶媒体を備えている。ここでは、このプログラムを再生プログラムと呼ぶ。そして、ＣＰＵが上記記憶媒体に記憶されている再生プログラムを読み出して、情報の加工・演算処理を実行することにより、上述の再生装置と同様の処理を実現させる。
【０１３３】
ここで、コンピュータ読み取り可能な記録媒体とは、磁気ディスク、光磁気ディスク、ＣＤ−ＲＯＭ、ＤＶＤ−ＲＯＭ、半導体メモリ等をいう。また、この再生プログラムを通信回線によってコンピュータに配信し、この配信を受けたコンピュータが当該再生プログラムを実行するようにしても良い。
【０１３４】
本発明は、上述した一実施の形態に限定されるものではなく、本発明の要旨を逸脱しない範囲内で様々な変形や応用が可能である。例えば、上述した一実施の形態では、再生装置を搭載したカメラをデジタルカメラとして説明したが、動画撮影中に静止画撮影を行うことができるカメラであれば、ビデオカメラやムービーカメラでもよく、さらに、携帯電話や携帯情報端末（ＰＤＡ：Personal Digital Assist）、ゲーム機器等に内蔵されるカメラでもよい。
【０１３５】
上述した一実施の形態では、タッチパネルが表示部１９の前面に配置され、または表示部１９と一体に構成されており、タッチパネルで様々な操作を行うことができるものとして説明したが、タッチパネルが搭載されていない場合には、代わりに釦操作を行うようにすればよい。
【０１３６】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【０１３７】
１…カメラ
５…再生装置
１１…制御部
１９…表示部
２１…再生部
１１１…表示制御部
１１２…操作制御部
【図１２】
2012099996.tif 000003
【図１３】
2012099996.tif 000004
【図１４】
2012099996.tif 000005
【図１】
2012099996.tif 000006
【図２】
2012099996.tif 000007
【図３】
2012099996.tif 000008
【図４】
2012099996.tif 000009
【図５】
2012099996.tif 000010
【図６】
2012099996.tif 000011
【図７】
2012099996.tif 000012
【図８】
2012099996.tif 000013
【図９】
2012099996.tif 000014
【図１０】
2012099996.tif 000015
【図１１】
2012099996.tif 000016